(57)【要約】【課題】沈胴時のレンズ鏡胴の光軸方向の厚みをより薄くしたレンズ鏡胴を得ること及び、より薄型の撮像装置を得ること。【解決手段】沈胴可能に構成されたレンズ鏡胴において、前筒が沈胴位置から撮影可能位置へ移動する際に、直進案内部材とバリア開閉部材との係合を解除してレンズバリアを開いた後、直進案内部材と第１レンズ群鏡枠との係合を解除して第１レンズ群鏡枠を前筒に対して被写体側へ移動させるレンズ鏡胴とする。【選択図】図４
2007240587.tif 000002
【特許請求の範囲】
【請求項１】
複数のレンズ群で構成された撮像光学系と、前記複数のレンズ群を保持する複数の鏡枠と、回転可能となされたカム筒と、最も被写体側のレンズ群を保持する第１レンズ群鏡枠を内包し前記カム筒により移動させられる前筒と、前記前筒の被写体側に配置されたレンズバリアと、前記レンズバリアを開閉させるバリア開閉部材と、少なくとも前記前筒を直進案内する直進案内部材と、を有し、沈胴可能に構成されたレンズ鏡胴において、
前記前筒が沈胴位置から撮影可能位置へ移動する際に、
前記直進案内部材と前記バリア開閉部材との係合を解除して前記レンズバリアを開いた後、前記直進案内部材と前記第１レンズ群鏡枠との係合を解除して前記第１レンズ群鏡枠を前記前筒に対して被写体側へ移動させることを特徴とするレンズ鏡胴。
【請求項２】
前記前筒が撮影可能位置から沈胴位置へ移動する際に、前記直進案内部材が前記第１レンズ群鏡枠と係合して前記第１レンズ群鏡枠を前記前筒に対して像面側へ移動させた後、前記直進案内部材が前記バリア開閉部材と係合して前記レンズバリアを閉動作させることを特徴とする請求項１に記載のレンズ鏡胴。
【請求項３】
複数のレンズ群で構成された撮像光学系と、前記複数のレンズ群を保持する複数の鏡枠と、回転可能となされたカム筒と、前記カム筒により移動させられ、最も被写体側のレンズ群を保持する第１レンズ群鏡枠を内包する前筒と、少なくとも前記前筒を直進案内する直進案内部材と、を有し、沈胴可能に構成されたレンズ鏡胴において、
前記前筒が撮影可能位置から沈胴位置へ移動する際に、
前記直進案内部材が前記第１レンズ群鏡枠と係合して前記第１レンズ群鏡枠を前記前筒に対して像面側へ移動させることを特徴とするレンズ鏡胴。
【請求項４】
前記前筒が沈胴位置から撮影可能位置へ移動する際に、前記直進案内部材の前記第１レンズ群鏡枠との係合が解かれて前記第１レンズ群鏡枠を前記前筒に対して被写体側へ移動させることを特徴とする請求項３に記載のレンズ鏡胴。
【請求項５】
請求項１〜４のいずれか１項に記載のレンズ鏡胴を備えたことを特徴とする撮像装置。
【発明の詳細な説明】
【技術分野】
【０００１】
本発明は、沈胴可能に構成されたレンズ鏡胴及び該レンズ鏡胴を備えた撮像装置に関するものである。
【背景技術】
【０００２】
従来より、撮影に使用しない時には携帯時の利便性を優れたものとするべく、変倍光学系を構成する光学要素であるレンズ群の間隔を縮めることにより薄型に収納する、所謂沈胴式のレンズ鏡胴を採用したカメラが知られている。
【０００３】
この沈胴式のレンズ鏡胴として、３群構成の最後部の第３レンズ群をフォーカシングレンズとして用い、このフォーカシングレンズを駆動する駆動モータを鏡胴内に配置し、第３レンズ群より被写体側に位置する第１及び第２レンズ群をカム筒を用いて移動させズーミングを行うものが知られている（例えば、特許文献１参照）。
【特許文献１】特開２００３−２８７６７０号公報
【発明の開示】
【発明が解決しようとする課題】
【０００４】
図７は、従来の沈胴式のレンズ鏡胴の一例を示す模式断面図である。同図（Ａ）は沈胴時、同図（Ｂ）は広角端時、同図（Ｃ）は望遠端時を示している。同図を用いて従来の沈胴式のレンズ鏡胴の構成と動作概略を説明する。
【０００５】
同図において、１１は固定胴、１４はカム筒、１５は前筒である。前筒１５には最も被写体側に位置する第１レンズ群１が一体的に固着されている。カム筒１４には２種のカム溝が形成されており、このカム溝には前筒１５に形成されたカムピンと第２レンズ群２を保持する第２レンズ群鏡枠７に形成されたカムピンが、それぞれ係合している。最も像面側に位置する第３レンズ群３は、単独で移動できるよう不図示のモータにより移動可能となされている。
【０００６】
同図（Ａ）に示す沈胴状態から同図（Ｂ）に示す広角端の状態へは、カム筒１４が回転しつつ光軸Ｏ方向へ移動することで、前筒１５即ち第１レンズ群１と第２レンズ群鏡枠７即ち第２レンズ群２を所定量だけ被写体側へ移動させることで行われる。
【０００７】
また、同図（Ｂ）に示す広角端の状態から同図（Ｃ）に示す望遠端の状態へは、カム筒１４を更に回転させ、前筒１５即ち第１レンズ群１と第２レンズ群鏡枠７即ち第２レンズ群２を移動させて、間隔を変更することで行われる。
【０００８】
第３レンズ群３は、各焦点距離に対応して所定の位置に移動し、その位置から更に移動することでフォーカシングが行われる。
【０００９】
このような鏡胴の構成において、図示の如く、最大長となる広角端のレンズ鏡胴の光軸方向の長さをＬｗ、沈胴時のレンズ鏡胴の光軸方向の長さをＬｔ、前筒１５の光軸方向の長さをＬｍ、最大長となる広角端時の固定胴１１とカム筒１４の嵌合長及びカム筒１４と前筒１５の嵌合長をそれぞれｄとすると、
Ｌｗ＝２Ｌｔ＋Ｌｍ−２ｄ
で表され、Ｌｍが（Ｌｔ−ｄ）の場合、沈胴時のレンズ鏡胴の光軸方向の長さＬｔは、
Ｌｔ＝（Ｌｗ＋３ｄ）／３
となる。なお、ｂはレンズバリア等の機構部に要する厚みである。
【００１０】
即ち、従来のレンズ鏡胴の構成においては、沈胴時の光軸方向の長さ（厚み）Ｌｔは、嵌合長ｄを必要な所定量だけ確保した場合、最大長時のレンズ鏡胴の全長Ｌｗによって決まるということであり、沈胴時のレンズ鏡胴の光軸方向の厚みをこれ以上薄くすることは困難であった。
【００１１】
本発明は上記問題を鑑み、沈胴時のレンズ鏡胴の光軸方向の厚みをより薄くしたレンズ鏡胴を得ることを目的とし、このレンズ鏡胴を備えることで、より薄型の撮像装置を得ることを目的とするものである。
【課題を解決するための手段】
【００１２】
上記の目的は、下記に記載する発明により達成される。
【００１３】
１．複数のレンズ群で構成された撮像光学系と、前記複数のレンズ群を保持する複数の鏡枠と、回転可能となされたカム筒と、最も被写体側のレンズ群を保持する第１レンズ群鏡枠を内包し前記カム筒により移動させられる前筒と、前記前筒の被写体側に配置されたレンズバリアと、前記レンズバリアを開閉させるバリア開閉部材と、少なくとも前記前筒を直進案内する直進案内部材と、を有し、沈胴可能に構成されたレンズ鏡胴において、前記前筒が沈胴位置から撮影可能位置へ移動する際に、前記直進案内部材と前記バリア開閉部材との係合を解除して前記レンズバリアを開いた後、前記直進案内部材と前記第１レンズ群鏡枠との係合を解除して前記第１レンズ群鏡枠を前記前筒に対して被写体側へ移動させることを特徴とするレンズ鏡胴。
【００１４】
２．前記前筒が撮影可能位置から沈胴位置へ移動する際に、前記直進案内部材が前記第１レンズ群鏡枠と係合して前記第１レンズ群鏡枠を前記前筒に対して像面側へ移動させた後、前記直進案内部材が前記バリア開閉部材と係合して前記レンズバリアを閉動作させることを特徴とする１に記載のレンズ鏡胴。
【００１５】
３．複数のレンズ群で構成された撮像光学系と、前記複数のレンズ群を保持する複数の鏡枠と、回転可能となされたカム筒と、前記カム筒により移動させられ、最も被写体側のレンズ群を保持する第１レンズ群鏡枠を内包する前筒と、少なくとも前記前筒を直進案内する直進案内部材と、を有し、沈胴可能に構成されたレンズ鏡胴において、前記前筒が撮影可能位置から沈胴位置へ移動する際に、前記直進案内部材が前記第１レンズ群鏡枠と係合して前記第１レンズ群鏡枠を前記前筒に対して像面側へ移動させることを特徴とするレンズ鏡胴。
【００１６】
４．前記前筒が沈胴位置から撮影可能位置へ移動する際に、前記直進案内部材の前記第１レンズ群鏡枠との係合が解かれて前記第１レンズ群鏡枠を前記前筒に対して被写体側へ移動させることを特徴とする３に記載のレンズ鏡胴。
【００１７】
５．１〜４のいずれかに記載のレンズ鏡胴を備えたことを特徴とする撮像装置。
【発明の効果】
【００１８】
本発明によれば、同じ光学系を用いた場合であっても、従来に比べ、より薄い状態に沈胴できるレンズ鏡胴を得ることが可能となり、このレンズ鏡胴を備えることで、より薄型の撮像装置を得ることが可能となる。
【発明を実施するための最良の形態】
【００１９】
以下、実施の形態により本発明を詳しく説明するが、本発明はこれに限定されるものではない。
【００２０】
図１は、本実施の形態に係るレンズ鏡胴８０を搭載した撮像装置の一例であるカメラを示す外観図である。図１（ａ）はカメラ前面の斜視図、図１（ｂ）はカメラ背面の斜視図である。
【００２１】
図１（ａ）において、８０は本発明に係る沈胴式のレンズ鏡胴である。８２はファインダ窓、８３はレリーズ釦、８４はフラッシュ発光部、８６はマイク、８７はストラップ取り付け部、８８はＵＳＢ端子である。非撮影時にはレンズ鏡胴８０は沈胴し、レンズ鏡胴８０内に設けられたレンズバリアが最も被写体側のレンズ面を覆うようになっている。
【００２２】
図１（ｂ）において、９１はファインダ接眼部、９２は赤と緑の表示ランプであり、ＡＦやＡＥの情報をレリーズ釦８３が押圧された時、発光もしくは点滅により撮影者に表示するものである。９３はズーム釦であり、ズームアップ、ズームダウンをおこなう釦である。９４はスピーカであり、マイク８６で録音した音声の再生や、レリーズ音等を発するものである。９５はメニュー／セット釦、９６は選択釦で４方向スイッチであり、１００はモニターＬＣＤで画像やその他文字情報等を表示する。メニュー／セット釦９５で、モニターＬＣＤ１００上に各種のメニューを表示させ、選択釦９６で選択し、メニュー／セット釦９５で確定させる機能を有している。９７は再生釦で、撮影した画像の再生をおこなう釦である。９８はディスプレイ釦で、モニターＬＣＤ１００に表示された画像やその他文字情報の表示や消去を選択する釦である。９９は消去釦で、撮影記録した画像の消去をおこなう釦である。１０１は三脚穴、１０２は電池／カード蓋である。電池／カード蓋１０２の内部には、本カメラの電源を供給する電池と、撮影した画像を記録するカード型のリムーバブルメモリが装填されるようになっている。
【００２３】
図２は、本実施の形態に係るレンズ鏡胴８０の沈胴時の状態を示す概略断面図である。
【００２４】
同図において、１は負のパワーの第１レンズ群、２は正のパワーの第２レンズ群、３は正のパワーの第３レンズ群であり、本例に示したレンズ鏡胴８０に内包された撮影レンズは３群構成である。また、４はＯＬＰＦ（オプチカルローパスフィルタ）であり、偽色やモアレを防止するため、被写体光の高周波成分を除去する。５は結像した被写体光を光電変換する撮像素子であり、例えばＣＣＤ（Ｃｈａｒｇｅ  Ｃｏｕｐｌｅｄ  Ｄｅｖｉｃｅ）型イメージセンサやＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）型イメージセンサである。
【００２５】
第１レンズ群１は第１レンズ群鏡枠６によって保持され、第２レンズ群２は第２レンズ群鏡枠７によって保持され、第３レンズ群３は第３レンズ群鏡枠８によって保持されている。
【００２６】
１１は固定胴であり、図示していないカメラ本体に一体的に固定されており、内周にカム溝を有している。固定胴１１の後部には地板１２が固着されている。地板１２には順にＯＬＰＦ４、撮像素子５が装着されている。撮像素子５はプリント基板１３に電気的に接続されている。
【００２７】
１４はカム筒であり、外周には固定胴１１のカム溝と係合するカムピンが形成され、且つ後部の一部には部分歯車１４ｂが形成されている。また、カム筒１４の内周にはカム溝が形成されている。
【００２８】
また、カム筒１４には、直進移動部材１７と直進案内板１８とがカム筒１４の光軸方向への移動に伴って移動できるように組み付けられている。直進案内板１８には部分歯車１４ｂと歯合した駆動歯車２１が軸支されている。駆動歯車２１は、長歯車２２と歯合している。長歯車２２は不図示のモータ及び減速歯車列により駆動されるようになっている。
【００２９】
１５は前筒であり、前筒１５の外周にはカムピンが立設されており、カム筒１４のカム溝と係合している。前筒１５には、最も被写体側のレンズ群である第１レンズ群１を保持した第１レンズ群鏡枠６と、被写体側にはレンズバリア５１が配置されている。
【００３０】
直進案内板１８は、カム筒１４の撮像素子５側の環状の面に当接して摺動するようになっている。また、直進移動部材１７には、前筒１５と第２レンズ群鏡枠７に係合し、前筒１５と第２レンズ群鏡枠７を直進案内する直進案内部１７ｔが形成されている。３３は絞りシャッタユニットであり、第２レンズ群鏡枠７に固着されている。
【００３１】
４１はステッピングモータであり、送りネジ４２が接続されている。送りネジ４２には回転規制されたナット４３が螺合しており、第３レンズ群鏡枠８の腕部がバネ４４によりナット４３に押圧されている。これにより、ステッピングモータ４１により送りネジ４２が回転すると、ナット４３が光軸Ｏ方向に移動し、これに伴い第３レンズ群鏡枠８が光軸Ｏ方向に移動することが可能となっている。この第３レンズ群３は、フォーカシングを行うレンズ群である。
【００３２】
レンズバリア５１は、沈胴状態では第１レンズ群１の前方を覆い、撮影状態では開いて撮影可能となされるようになっている。このバリアは、不図示であるが、沈胴時には直進案内部１７ｔの先端で係合して閉状態となり、レンズ群が繰り出される時には直進案内部１７ｔとの係合が解かれ、不図示の付勢部材により開状態となるものである。
【００３３】
なお、後述するが、本実施の形態に係るレンズ鏡胴８０は、前筒１５内の第１レンズ群鏡枠６が前筒１５に対し光軸方向に移動可能となされており、図示の沈胴時には、バリア５１が閉じ状態となれるよう、前筒１５に対し撮像素子５側に移動した状態となっている。
【００３４】
図３は、本実施の形態に係るレンズ鏡胴８０の撮影状態であるワイド状態の概略縦断面図である。なお、以下の図においては説明の重複を避けるため、同機能部材には同符号を付与して説明する。
【００３５】
図２に示す沈胴状態から図３に示すワイド状態へは、まず不図示のモータを回転駆動させ、長歯車２２、駆動歯車２１によりカム筒１４を回転させる。これによりカム筒１４は固定胴１１に形成されたカム溝１１ａに案内され、回転しながら繰り出され、カム筒１４の内周に形成されたカム溝１４ｃに係合したカムピン１６が固着された前筒１５及びカム筒１４に形成された不図示のカム溝に係合した第２レンズ群枠７は、直進案内部１７ｔにより直進案内されて、被写体方向図示の位置に移動する。このとき、直進移動部材１７と直進案内板１８とは、カム筒１４に伴って直進移動する。この後、ステッピングモータ４１を駆動して第３レンズ群鏡枠８を第２レンズ群２側の所定の位置に移動させ、図示のワイド状態となる。
【００３６】
図３に示すワイド状態では、レンズバリア５１が開状態となされ、第１レンズ群鏡枠６即ち第１レンズ群１は、前筒１５に対して被写体側に移動した状態となる。一方、図２に示す沈胴状態では、第１レンズ群鏡枠６即ち第１レンズ群１が、前筒１５に対して像面側に移動し、レンズバリア５１が閉状態となる。
【００３７】
図４は、前筒１５内のバリア開閉機構及び前筒１５に対し第１レンズ群鏡枠６を移動させる機構を示す分解斜視図である。なお、同図は前筒１５の内部を示し、前筒そのものは省略してある。また、同図は、直進案内部１７ｔとバリア開閉機構及び第１レンズ群鏡枠６を移動させる機構の係合が解除された、撮影状態を示している。
【００３８】
同図において、５３は第１レンズ群鏡枠保持部であり、この第１レンズ群鏡枠保持部５３は、前筒１５と一体で形成されていることが望ましいが、別部材として形成され前筒１５に一体的に固定されたものであってもよい。
【００３９】
第１レンズ群鏡枠保持部５３には、雌ヘリコイド部５３ｈが形成されており、第１レンズ群鏡枠６の外周に形成された雄ヘリコイド６ｈが螺合し、第１レンズ群鏡枠６の回動により光軸方向に移動可能となっている。また、第１レンズ群鏡枠６は、付勢部材であるコイルバネ６３により図示では反時計回り方向に付勢されており、第１レンズ群鏡枠保持部５３に形成されたストッパ５３ｓと当接して係止されている。
【００４０】
５０は前面板であり前筒１５の被写体側前面に固定されている。５１はレンズバリアであり、このレンズバリア５１の前面板５０側に形成されたボス５１ｓが前面板５０に形成された穴５０ｈと嵌合し、このボス５１ｓを軸にしてレンズバリア５１は回動して開閉を行うようになっている。
【００４１】
５２はバリア開閉板である。レンズバリア５１の像面側の面にはボス５１ｐが形成されており、このボス５１ｐはバリア開閉板５２に形成された切り欠き部５２ｈと係合している。また、バリア開閉板５２は付勢部材であるコイルバネ６２により図示では反時計回り方向に付勢されている。この、コイルバネ６２による付勢力により、バリア開閉板５２と係合しているレンズバリア５１は開き方向に付勢されている。
【００４２】
以下に、図示の状態から沈胴する際の、第１レンズ群鏡枠６及びレンズバリア５１の動作について説明する。
【００４３】
撮影可能な状態から沈胴状態へは、まずステッピングモータ４１を駆動して第３レンズ群鏡枠８を撮像素子５側に移動させた後、不図示のモータを逆方向に回転駆動させ、長歯車２２、駆動歯車２１によりカム筒１４を逆回転させる。これによりカム筒１４は固定胴１１に形成されたカム溝１１ａに案内されて撮像素子５側に移動し、カム筒１４の内周に形成されたカム溝１４ｃに係合したカムピン１６が固着された前筒１５及びカム筒１４に形成された不図示のカム溝に係合した第２レンズ群枠７は、直進案内部１７ｔにより直進案内されて、撮像素子５方向に移動する（図３、図２参照）。
【００４４】
前筒１５が、撮像素子５方向、像面側に移動すると、まず第１レンズ群鏡枠６に一体的に形成された係合部６ｋと直進案内部１７ｔとが当接して係合し、係合部６ｋ即ち第１レンズ群鏡枠６は、コイルバネ６３の付勢力に抗して図示矢印で示す時計回り方向へ回動させられる。この回動により第１レンズ群鏡枠保持部５３とヘリコイドで螺合した第１レンズ群鏡枠６は、第１レンズ群鏡枠保持部５３即ち前筒１５に対して図示矢印方向の像面側に移動する。
【００４５】
前筒１５がさらに像面側に移動すると、バリア開閉部材５２に形成された係合部５２ｋと直進案内部１７ｔとが当接して係合し、係合部５２ｋ即ちバリア開閉部材５２は、コイルバネ６２の付勢力に抗して図示矢印で示す時計回り方向へ回動させられる。この回動により、レンズバリア５１は図示矢印方向に回動して閉じ状態となる。
【００４６】
なお、直進案内部１７ｔは先端部にテーパー部を有しており、テーパー部により上述の係合部６ｋ、５２ｋを側方へずらして、回動させるようになっている。
【００４７】
また、沈胴状態から撮影可能な状態へは上記と逆の動作となる。即ち、沈胴状態から前筒１５が繰り出されると、まず直進案内部１７ｔとバリア開閉部材５２の係合部５２ｋとの係合が解除され、バリア開閉部材５２はコイルバネ６２の付勢力で反時計回りに回動し、レンズバリア５１が開状態となる。
【００４８】
前筒１５がさらに繰り出されると、直進案内部１７ｔと第１レンズ群鏡枠６の係合部６ｋとの係合が解除されて、第１レンズ群鏡枠６はコイルバネ６３の付勢力で反時計回りに回動し、ヘリコイドにより前筒１５に対して被写体側（図示矢印と反対方向）へ移動することになる。
【００４９】
図５は、本実施の形態に係るレンズ鏡胴８０の撮影状態であるテレ状態の概略縦断面図である。
【００５０】
同図に示すテレ状態へは、図３に示すワイド状態から不図示のモータを更に回転駆動させ、長歯車２２、駆動歯車２１によりカム筒１４を回転させ、カム筒１４の内周に形成されたカム溝により前筒１５及び第２レンズ群枠７は、直進案内部１７ｔにより直進案内されて、図示の如く接近した位置となる。更に、ステッピングモータ４１を駆動して第３レンズ群鏡枠８を所定の位置に移動させることで行われる。
【００５１】
このテレ状態の場合も、直進案内部１７ｔとバリア開閉部材５２及び第１レンズ群鏡枠６との係合は解除されており、第１レンズ群鏡枠６は前筒１５に対して被写体側へ移動した状態を維持したままとなる。
【００５２】
図６は、第１レンズ群１〜第３レンズ群３及び前筒１５の位置変化を示す移動線図である。
【００５３】
同図に示すように、沈胴状態から撮影領域である広角（ワイド）端への移動では、まずレンズバリアが開いた後、前筒１５と共に第１レンズ群１が繰り出される途中で、図示Ａで示すように、第１レンズ群１が前筒１５に対し被写体側に移動した状態となり、広角端に到達する。以降の撮影領域である広角端と望遠（テレ）端の間では、前筒１５と第１レンズ群１の相対関係は変化せず、この状態が維持される。
【００５４】
一方、第２レンズ群２も、各焦点距離に対する所定の位置への移動が行われる。また、第３レンズ群３は、ステッピングモータ４１により、独立して各焦点距離に対する所定の位置への移動が行われる。
【００５５】
また、広角（ワイド）端から沈胴状態への移動では、まず第３レンズ群３を、ステッピングモータ４１により、像面側の所定の位置へ移動させた後、前筒１５と共に第１レンズ群１が繰り込まれる途中で、図示Ａで示すように、第１レンズ群１が前筒１５に対し像面側に移動し、レンズバリアが閉じた状態となった後、沈胴動作が終了する。
【００５６】
以上が本実施の形態に係るレンズ鏡胴８０の構成及び動作である。
【００５７】
以上説明したように、本実施の形態のレンズ鏡胴８０は、前筒１５及び第２レンズ群鏡枠７を直進案内する直進案内部１７ｔを用いて、前筒１５が沈胴位置から撮影可能位置へ移動する際に、直進案内部１７ｔとバリア開閉部材５２との係合が解かれ、レンズバリア５１が開いた後、直進案内部１７ｔと第１レンズ群鏡枠６との係合が解かれ、第１レンズ群鏡枠６を前筒１５に対して被写体側へ移動させるよう構成し、前筒１５が撮影可能位置から沈胴位置へ移動する際に、直進案内部１７ｔが第１レンズ群鏡枠６と係合して第１レンズ群鏡枠６を前筒１５に対して像面側へ移動させた後、直進案内部１７ｔがバリア開閉部材５２と係合してレンズバリア５１を閉動作させるよう構成することにより、前筒１５に第１レンズ群１即ち第１レンズ群鏡枠６を固定した状態で最大繰り出し位置に移動させる構成に比べ、最大繰り出し時の鏡胴部の全長（Ｌｗ）を短縮することができ、これにより沈胴時の厚み（Ｌｔ）をより薄くしたレンズ鏡胴を得ることができる。
【００５８】
より具体的には、例えば、前筒１５に対し第１レンズ群鏡枠６即ち第１レンズ群１を略３ｍｍ被写体方向に繰り出すよう構成した場合には、従来例の鏡胴部の全長Ｌｗに比べ、Ｌｗを略３ｍｍ短縮することができ、これにより沈胴時の厚みを略１ｍｍ薄くすることができる。
【００５９】
更に、前筒１５及び第２レンズ群鏡枠７を直進案内する直進案内部１７ｔを用いることで、新たな部品を必要とせず低コストで上記の効果を得ることができる。
【００６０】
また、レンズバリアを有しないレンズ鏡胴にも適用することが可能であり、この場合にも沈胴時の厚みを略１ｍｍ薄くすることができる。
【００６１】
なお、上記の実施の形態においては、３群構成の変倍光学系を備えたレンズ鏡胴で説明したが、これに限るものでなく、２群構成或いは４群以上の構成にも適用可能であるのは言うまでもない。
【図面の簡単な説明】
【００６２】
【図１】本実施の形態に係るレンズ鏡胴を搭載した撮像装置の一例であるカメラを示す外観図である。
【図２】本実施の形態に係るレンズ鏡胴の沈胴時の状態を示す概略断面図である。
【図３】本実施の形態に係るレンズ鏡胴の撮影状態であるワイド状態の概略縦断面図である。
【図４】前筒内のバリア開閉機構及び前筒に対し第１レンズ群鏡枠を移動させる機構を示す分解斜視図である。
【図５】本実施の形態に係るレンズ鏡胴の撮影状態であるテレ状態の概略縦断面図である。
【図６】第１レンズ群〜第３レンズ群及び前筒の位置変化を示す移動線図である。
【図７】従来の沈胴式のレンズ鏡胴の一例を示す模式断面図である。
【符号の説明】
【００６３】
１  第１レンズ群
２  第２レンズ群
３  第３レンズ群
４  ＯＬＰＦ（オプチカルローパスフィルタ）
５  撮像素子
６  第１レンズ群鏡枠
７  第２レンズ群鏡枠
８  第３レンズ群鏡枠
１１  固定胴
１２  地板
１４  カム筒
１５  前筒
２１  駆動歯車
２２  長歯車
４１  ステッピングモータ
５１  レンズバリア
５２  バリア開閉部材
５３  第１レンズ群鏡枠保持部
８０  レンズ鏡胴
【図１】
2007240587.tif 000003
【図２】
2007240587.tif 000004
【図３】
2007240587.tif 000005
【図４】
2007240587.tif 000006
【図５】
2007240587.tif 000007
【図６】
2007240587.tif 000008
【図７】
2007240587.tif 000009